(57)【要約】【課題】表紙体内に１〜多量の紙葉類を確実に挟持し、かつ表紙体がスライドレールから抜け落ちることを防止し、また表紙体内の内容が容易に判別できる、背見出し付きレールホルダーを提供する。【解決手段】オモテ表紙１、ウラ表紙２及びこれら両表紙１、２を連接する背部３からなる表紙体１０と、背部３に沿って挿し込まれてオモテ表紙１及びウラ表紙２を両側から挟持するスライドレール２０とから構成されている。【選択図】図１
0003150096.tif 000002
【実用新案登録請求の範囲】
【請求項１】
オモテ表紙、ウラ表紙及びこれら両表紙を連接する背部からなる表紙体と、
前記背部に沿って挿通されることにより前記オモテ表紙及びウラ表紙を両側から挟持するスライドレールとを具備する背見出し付きレールホルダーであって、
前記表紙体の背部には平板アームが溶着され、当該平板アームには背見出しが貼付されてなり、
前記スライドレールは、対向する第１挟持部及び第２挟持部と、
当該両挟持部の一端を連結する連結板とで構成された、
ことを特徴とする、背見出し付きレールホルダー。
【請求項２】
前記第１挟持部及び第２挟持部がそれぞれ直線部と彎曲部からなり、当該直線部と彎曲部の接合部には屈曲された段部が一体的に形成され、両彎曲部の末端は当接するか又は隙間を形成されている、
ことを特徴とする、請求項１記載の背見出し付きレールホルダー。
【請求項３】
前記第１挟持部及び第２挟持部のそれぞれ直線部がスライドレールの中心線に向けて傾斜されている、
ことを特徴とする、請求項項１〜請求項２のいずれかに記載の背見出し付きレールホルダー。
【請求項４】
前記第１挟持部と第２挟持部におけるそれぞれの直線部の内側には、前記表紙体の背部に沿ってスライド可能な空間部が形成されると共に、当該空間部から前記表紙体が抜け落ちることを防止するストッパーがスライドレールの長手方向に突設されている、
ことを特徴とする、請求項項１〜請求項３のいずれかに記載の背見出し付きレールホルダー。
【請求項５】
前記第１挟持部及び第２挟持部の直線部内側に形成されたストッパー間の間隔は、少なくとも前記平板アームの巾寸より小とされている、
ことを特徴とする、請求項１〜請求項４のいずれかに記載の背見出し付きレールホルダー。
【請求項６】
前記平板アームの短手方向の巾寸が前記表紙体の背部の巾寸より大とされている、
ことを特徴とする、請求項１〜請求項５のいずれかに記載の背見出し付きレールホルダー。
【請求項７】
前記平板アームの上面には背見出しが接着されている、
ことを特徴とする、請求項１〜請求項６のいずれかに記載の背見出し付きレールホルダー。
【請求項８】
前記第１挟持部及び第２挟持部の素材がポリスチレン樹脂、ＡＢＳ樹脂の非塩ビ樹脂材又は塩ビ樹脂材であり、
前記連結板がポリスチレン樹脂、ＡＢＳ樹脂の非塩ビ樹脂材又は塩ビ樹脂材からなる透明体である、
ことを特徴とする、請求項１〜請求項７のいずれかに記載の背見出し付きレールホルダー。
【請求項９】
前記第１挟持部、第２挟持部及び連結板は、異型押出法による二色成型されてなる、
ことを特徴とする、請求項１〜請求項８のいずれかに記載の背見出し付きレールホルダー。
【考案の詳細な説明】
【技術分野】
【０００１】本考案は、背見出し付きレールホルダーに係り、オモテ表紙、ウラ表紙及びこれら両表紙を連接する背部からなる表紙体と、当該背部に沿って挿通されることによりオモテ表紙及びウラ表紙を両側から挟持するスライドレールとを具備し、表紙体内に収納された１〜多量の紙葉類を確実に挟持し、当該表紙体がスライドレールから抜け落ちることを防止し、かつ表紙体内の内容が容易に判別できる、背見出し付きレールホルダーに関する。
【背景技術】
【０００２】この種のレールホルダーとして、例えば、図５（Ａ）示すようなレールホルダーＲ１０が知られている。これは一枚の樹脂製シート材を折曲し、オモテ表紙１０１、ウラ表紙１０２及び背部１０３とで構成する表紙体１００に、１〜数枚の紙葉類Ｐをとじ込み、当該表紙体１００の背部１０３近傍を、ほぼ三角形状に形成されたスライドレール２００で挟み込みながらスライドさせ、背部２０１に連接された第１の挟持部２０２と第２の挟持部２０３の挟持力で保持するようになっている。【０００３】また特許文献１（図２、参照）には図５（Ｂ）に示すようなレールホルダーＲ２０も周知となっている。これも一枚の樹脂製シート材を折曲し、オモテ表紙３０１、ウラ表紙３０２及び背部３０３とで構成する表紙体３００に、１〜数枚の紙葉類Ｐをとじ込み、当該表紙体３００の背部３０３近傍を、ほぼ三角形状に形成されたスライドレール４００で挟み込みながらスライドさせ、背部４０１に連接された第１の挟持部４０２と第２の挟持部４０３の挟持力で保持するようになっている。【０００４】しかしながら、上記の図５（Ａ）又は（Ｂ）に示すようなものでは、スライドレール２００（４００）を表紙体１００（３００）に挟持させるスライド操作時に表紙体１００（３００）の背部１０３（３０３）に沿ってうまくスライドさせなければ表紙体１００（３００）を挟持することができず、スライドさせる方向が少しでも背部１０３（３０３）から離れる方向へずれると、その方向のままスライドレール２００（４００）をスライドし続けることとなり、表紙体１００（３００）からレールホルダーＲ１０（Ｒ２０）が抜け落ちてしまうという問題がある。また、これらのレールホルダーＲ１０（Ｒ２０）は、その構造上、特に、スライドレール２００（４００）の背部２０１（４０１）に連接された第１の挟持部２０２（４０２）と第２の挟持部２０３（４０３）の挟持力によれば、１〜約２０枚の紙葉類Ｐを挟持することが限度で、それ以上の紙葉類Ｐを無理に挟持させようとすれば、第１の挟持部２０２（４０２）と第２の挟持部２０３（４０３）のいずれかが背部２０１（４０１）との連結部Ｘ近傍で折損する不具合が生じる。さらに、表紙体１００（３００）に収納された紙葉類Ｐの内容を確認するためには、レールホルダーＲ１０（Ｒ２０）をキャビネット又はファイル収納棚等から引き出して、表紙体１００（３００）を開いて視認しなければならない煩わしさがある。
【先行技術文献】
【特許文献】
【０００５】
【特許文献１】  特開平９−１５０５９４号公報
【考案の概要】
【考案が解決しようとする課題】
【０００６】本考案者は、上記の従来技術が有する各種の問題点又は不具合に鑑み、鋭意検討を重ね、本考案を完成させたものである。本考案における課題の１は、表紙体内に１〜多量の紙葉類を確実に挟持することであり、課題の２は、表紙体がスライドレールから抜け落ちることを防止することであり、課題の３は、表紙体内の内容が容易に判別できることであり、課題の４は、製作コストが安価な背見出し付きレールホルダーを提供することにある。
【課題を解決するための手段】
【０００７】本考案者は、従来技術が有する各種の諸問題に鑑み、上記課題を解決するために鋭意検討し、本考案を完成したものである。課題を解決するための手段は、本願、実用新案登録請求の範囲の各請求項に記載の考案であり、その具体的解決手段は、以下の通りである。【０００８】課題を解決するための手段（第１考案〜第９考案）は、本願、実用新案登録請求の範囲の各請求項に記載の考案であり、具体的には、
第１の考案は、請求項１に記載の考案であり、
第２の考案は、請求項２に記載の考案であり、
第３の考案は、請求項３に記載の考案であり、
第４の考案は、請求項４に記載の考案であり、
第５の考案は、請求項５に記載の考案であり、
第６の考案は、請求項６に記載の考案であり、
第７の考案は、請求項７に記載の考案であり、
第８の考案は、請求項８に記載の考案であり、
第９の考案は、請求項９に記載の考案であり、
具体的な解決手段は、以下の通りである。【０００９】［第１の考案］
上記の課題を解決するための第１の考案は、
「オモテ表紙、ウラ表紙及びこれら両表紙を連接する背部からなる表紙体と、
前記背部に沿って挿通されることにより前記オモテ表紙及びウラ表紙を両側から挟持するスライドレールとを具備する背見出し付きレールホルダーであって、
前記表紙体の背部には平板アームが溶着され、当該平板アームには背見出しが貼付されてなり、
前記スライドレールは、対向する第１挟持部及び第２挟持部と、
当該両挟持部の一端を連結する連結板とで構成された」
ことを特徴としている。【００１０】［第２の考案］
上記の課題を解決するための第２の考案は、
「前記第１挟持部及び第２挟持部がそれぞれ直線部と彎曲部からなり、当該直線部と彎曲部の接合部には屈曲された段部が一体的に形成され、両彎曲部の末端は当接するか又は隙間を形成されている」
ことを特徴とする、請求項１記載の背見出し付きレールホルダーである。【００１１】［第３の考案］
上記の課題を解決するための第３の考案は、
「前記第１挟持部及び第２挟持部のそれぞれ直線部がスライドレールの中心線に向けて傾斜されている」
ことを特徴とする、請求項１〜請求項２のいずれかに記載の背見出し付きレールホルダーである。【００１２】［第４の考案］
上記の課題を解決するための第４の考案は、
「前記第１挟持部と第２挟持部におけるそれぞれの直線部の内側には、前記表紙体の背部に沿ってスライド可能な空間部が形成されると共に、当該空間部から前記表紙体が抜け落ちることを防止するストッパーがスライドレールの長手方向に突設されている」
ことを特徴とする、請求項１〜請求項３のいずれかに記載の背見出し付きレールホルダーである。【００１３】［第５の考案］
上記の課題を解決するための第５の考案は、
「前記第１挟持部及び第２挟持部の直線部内側に形成されたストッパー間の間隔は、少なくとも前記平板アームの巾寸より小とされている」
ことを特徴とする、請求項１〜請求項４のいずれかに記載の背見出し付きレールホルダーである。【００１４】［第６の考案］
上記の課題を解決するための第６の考案は、
「前記平板アームの短手方向の巾寸が前記表紙体の背部の巾寸より大とされている」
ことを特徴とする、請求項１〜請求項５のいずれかに記載の背見出し付きレールホルダーである。【００１５】［第７の考案］
上記の課題を解決するための第７の考案は、
「前記平板アームの上面には背見出しが接着されている」
ことを特徴とする、請求項１〜請求項６のいずれかに記載の背見出し付きレールホルダーである。【００１６】［第８の考案］
上記の課題を解決するための第８の考案は、
「前記第１挟持部及び第２挟持部の素材がポリスチレン樹脂、ＡＢＳ樹脂の非塩ビ樹脂材又は塩ビ樹脂材であり、
前記連結板がポリスチレン樹脂、ＡＢＳ樹脂の非塩ビ樹脂材又は塩ビ樹脂材からなる透明体である」
ことを特徴とする、請求項１〜請求項７のいずれかに記載の背見出し付きレールホルダーである。【００１７】［第９の考案］
上記の課題を解決するための第９の考案は、
「前記第１挟持部、第２挟持部及び連結板は、異型押出法による二色成型されてなる」
ことを特徴とする、請求項１〜請求項８のいずれかに記載の背見出し付きレールホルダーである。
【考案の効果】
【００１８】本考案に係る、背見出し付きレールホルダーは、上記のような特徴的構成要件から構成され、特徴的構成要件に応じた、以下のような本考案特有の効果を奏する。
また、上記のような特徴的構成要件から構成された背見出し付きレールホルダーによれば、本考案の課題を十分解消することができた。【００１９】○第１の考案によれば、
「オモテ表紙、ウラ表紙及びこれら両表紙を連接する背部からなる表紙体と、
前記背部に沿って挿通されることにより前記オモテ表紙及びウラ表紙を両側から挟持するスライドレールとを具備する背見出し付きレールホルダーであって、
前記表紙体の背部には平板アームが溶着され、当該平板アームには背見出しが貼付されてなり、
前記スライドレールは、対向する第１挟持部及び第２挟持部と、
当該両挟持部の一端を連結する連結板とで構成された」背見出し付きレールホルダーであり、
○また、第２の考案では、
「前記第１挟持部及び第２挟持部がそれぞれ直線部と彎曲部からなり、当該直線部と彎曲部の接合部には屈曲された段部が一体的に形成され、両彎曲部の末端は当接するか又は隙間を形成されている」構成とし、
○また、第３の考案である、
「前記第１挟持部及び第２挟持部のそれぞれ直線部がスライドレールの中心線に向けて傾斜されている」
という当業界においては想到することが困難な特徴的な構成により、
「表紙体内に１〜多量の紙葉類を確実に挟持する」という本考案の課題を解決することができた。【００２０】○第４の考案によれば、
「前記第１挟持部と第２挟持部におけるそれぞれの直線部の内側には、前記表紙体の背部に沿ってスライド可能な空間部が形成されると共に、当該空間部から前記表紙体が抜け落ちることを防止するストッパーがスライドレールの長手方向に突設されている」構成とし、
○また、第５の考案は、
「前記第１挟持部及び第２挟持部の直線部内側に形成されたストッパー間の間隔は、少なくとも前記平板アームの巾寸より小とされている」構成とし、
○また、第６の考案は、
「前記第１挟持部及び第２挟持部の直線部内側に形成されたストッパー間の間隔は、少なくとも前記平板アームの巾寸より小とされている」
という当業界においては想到することが困難な特徴的な構成により、
「表紙体がスライドレールから抜け落ちることを防止する」という本考案の課題を解決することができた。【００２１】○第７の考案は、
「前記平板アームの上面には背見出しが接着されている」構成とし、
○また、第８の考案は、
「前記第１挟持部及び第２挟持部の素材がポリスチレン樹脂、ＡＢＳ樹脂の非塩ビ樹脂材又は塩ビ樹脂材であり、
前記連結板がポリスチレン樹脂、ＡＢＳ樹脂の非塩ビ樹脂材又は塩ビ樹脂材からなる透明体である」、
という当業界においては想到することが困難な特徴的な構成により、
「表紙体内の内容が容易に判別できる」という本考案の課題を解決することができた。【００２２】○第８の考案は、
「前記第１挟持部及び第２挟持部の素材がポリスチレン樹脂、ＡＢＳ樹脂の非塩ビ樹脂材又は塩ビ樹脂材であり、
前記連結板がポリスチレン樹脂からなる透明体である」構成とし、
○また、第９の考案は、
「前記第１挟持部、第２挟持部及び連結板は、異型押出法による二色成型されてなる」
という当業界においては想到することが困難な特徴的な構成により、
「製作コストが安価な背見出し付きレールホルダーの提供」という本考案の課題を解決することができた。また平板アームに貼付された背見出しは、透明な連結板により、汚れや剥がれから保護されるので、常に美麗な状態で、表紙体の内容が判別することができる。
【図面の簡単な説明】
【００２３】
【図１】は、本考案の背見出し付きレールホルダーの斜視図である
【図２】は、図１における２−２線拡大断面図である。
【図３】は、背見出し付きレールホルダーにおけるスライドレールと表紙体を分離した状態の側面図である。
【図４】は、背見出し付きレールホルダーに多量の紙葉類を挟持した状態の拡大断面図である。
【図５】（Ａ）及び（Ｂ）は、従来技術を説明する断面図である。
【考案を実施するための形態】
【００２４】以下、本考案に係る、背見出し付きレールホルダーに係る、最良の実施形態について、図面を参照して詳細に説明する。図１は、本考案に係る背見出し付きレールホルダー（以下、レールホルダーＲ１という）を示した斜視図である。レールホルダーＲ１は、図１のように、オモテ表紙１、ウラ表紙２及びこれら両表紙１、２を連接する背部３からなる表紙体１０と、背部３に沿って挿し込まれてオモテ表紙１及びウラ表紙２を両側から挟持するスライドレール２０とから構成されている。スライドレール２０は、第１挟持部２１及び第２挟持部２２と、両挟持部２１、２２の一端を連結する連結板２３とで構成されている。
【００２５】表紙体１０を構成するオモテ表紙１及びウラ表紙２の大きさは、例えば、Ａ４サイズやＢ５サイズ等の綴じようとする紙葉類の大きさに適宜合わせて設定されている。これらオモテ表紙１、ウラ表紙２及び背部３は、透明性や強度等に優れた樹脂材、例えばポリエチレンテレフタレート（ＰＥＴ）等からなる１枚のシートを２つの折り目で折り曲げることによって形成される。４は折れ線、５は平板アームで、平板アームの上面には背見出し６が溶着されている。
【００２６】図２は、表紙体１０をスライドレール２０で挟持した状態を示している。スライドレール２０の第１挟持部２１及び第２挟持部２２の素材は、ポリスチレン樹脂、ＡＢＳ樹脂の非塩ビ樹脂材又は塩ビ樹脂材からなり、また第１挟持部２１と第２挟持部２２の一端を連結する連結板２３は、ポリスチレン樹脂等からなる透明体であり、第１挟持部２１及び第２挟持部２２と共に同時に異型押出法により二色成型されている。
【００２７】図２及び図３に示すように、スライドレール２０の第１挟持部２１は、連結板２３寄りに直線部２１ａが設けられ、屈曲状の段部２１ｂを介して他端側には彎曲部２１ｃが形成されている。同様に第２挟持部２２も連結板２３寄りに直線部２２ａが設けられ、屈曲状の段部２２ｂを介して他端側には彎曲部２２ｃが形成されている。両彎曲部２１ｃ、２２ｃの末端２１ｅ、２２ｅは、スライドレール２０の中心線Ｃ−Ｃ上で当接するか、僅かな隙間（０．３ｍｍ〜０．５ｍｍ）が設けられている。第１挟持部２１及び第２挟持部２２における直線部２１ａ及び直線部２２ａは、それぞれの段部２１ｂ、段部２２ｂ側に傾斜している。これにより第１挟持部２１と第２挟持部２２の挟持力は、中心線Ｃ−Ｃ方向に作用して強い挟持力が加えられ、その挟持力によって表紙体１０に綴じられた１〜多量の紙葉類Ｐを確実に保持することができる。第１挟持部２１及び第２挟持部２２における直線部２１ａ及び直線部２２ａの内側には、表紙体１０の背部３に沿ってスライド可能な空間部２５が形成されている。また空間部２５から表紙体１０が抜け落ちることを防止するためのストッパー２１ｄ、２２ｄが、第１挟持部２１及び第２挟持部２２における直線部２１ａ及び直線部２２ａの対向する内側に突設されている。ストッパー２１ｄと２２ｄ間の巾寸Ｗ１は、表紙体１０の背部３に溶着された平板アーム５の巾寸Ｗ２より小に設定されている。また平板アーム５の巾寸Ｗ２は、表紙体１０の背部３より大とされている。これにより、表紙体１０がスライドレール２０から脱落することが防止される。
【００２８】図４は、多量の紙葉類Ｐ、例えば約５０枚を表紙体１０に綴じてスライドレール２０に挟持した状態を示している。第１挟持部２１の直線部２１ａと彎曲部２１ｃは、段部２１ｂを介して表紙体１０のオモテ表紙１を上方より押圧して挟持している。特に段部２１ｂは梃子の原理における支点となり、強い挟持力がオモテ表紙１に付与される。同様に第２挟持部２２の直線部２２ａと彎曲部２２ｃは、段部２２ｂを介して表紙体１０のウラ表紙２を上方より押圧して挟持している。特に段部２２ｂは梃子の原理における支点となり、強い挟持力がウラ表紙２に付与される。
【符号の説明】
【００２９】Ｒ１                背見出し付きレールホルダー
１                  オモテ表紙
２                  ウラ表紙
３                  背部
５                  平板アーム
６                  背見出し
１０                表紙体
２０                スライドレール
２１                第１挟持部
２１ａ              直線部
２１ｂ              段部
２１ｃ              彎曲部
２１ｄ              ストッパー
２１ｅ              末端
２２                第２挟持部
２２ａ              直線部
２２ｂ              段部
２２ｃ              彎曲
２２ｄ              ストッパー
２２ｅ              末端
２３                連結板
Ｃ−Ｃ              中心線
【図１】
0003150096.tif 000003
【図２】
0003150096.tif 000004
【図３】
0003150096.tif 000005
【図４】
0003150096.tif 000006
【図５】
0003150096.tif 000007